(57)【要約】      （修正有）【課題】安価に製造でき、設置が容易で、小動物や鳥類から農作物を有効に保護することができるとともに、成長状態や日当たりなどに応じて農作物の向きを変えることができる農作物保護具を提供する。【解決手段】半球状の網５の開口縁に円形の枠６を設けた第１かご２と、第１かごの網の開口縁に対向する半球状の網の開口縁に円形の枠を設けた第２かご３と、第１かごと第２かごを向い合せで開閉可能に連結して内部に農作物を収容する空間を形成する連結リング４とを備える。また、第１かごの枠と第２かごの枠の少なくともいずれか一方に農作物の蔓が通る少なくとも１つの凹部８を形成し、第１かごの枠と第２かごの枠の連結リングと１８０度離れた位置に、少なくとも１つの円環１０を設ける。【選択図】図１
0003197462.tif 000002
【実用新案登録請求の範囲】
【請求項１】
半球状の網の開口縁に円形の枠を設けた第１かごと、前記第１かごの網の開口縁に対向する半球状の網の開口縁に円形の枠を設けた第２かごと、前記第１かごと前記第２かごを向い合せで開閉可能に連結して内部に農作物を収容する空間を形成する連結手段とを備え、前記第１のかごの枠と前記第２のかごの枠の少なくともいずれか一方に農作物の蔓が通る少なくとも１つの凹部を形成し、前記第１のかごの枠と前記第２のかごの枠に少なくとも１つの円環を設けたことを特徴とする農作物保護具。
【請求項２】
前記連結手段は、前記第１のかごの枠の一部と前記第２のかごの枠の一部を連結する連結リングであることを特徴とする請求項１に記載の農作物保護具。  
【請求項３】
前記円環は、前記連結リングと１８０度離れた位置で前記第１のかごの枠と前記第２のかごの枠の両方に取り付け、前記第１のかごと前記第２のかごが開かないように、前記第１のかごの円環と前記第２のかごの円環に杭を通して耕作地に突き刺せるようにしたことを特徴とする請求項２に記載の農作物保護具。
【請求項４】
前記円環は、前記連結リングと１８０度離れた位置で前記第１のかごの枠と前記第２のかごの枠の両方に設け、当該円環に吊下げ手段を取り付けて前記農作物保護具を高所に吊るせるようにしたことを特徴とする請求項２に記載の農作物保護具。
【請求項５】
前記円環は、前記連結リングと１８０度離れた位置で前記第１のかごの枠と前記第２のかごの枠の両方に設けた第１の円環と、前記連結リングに取り付けた第２の円環とからなり、当該第１の円環と第２の円環に吊下げ手段を取り付け、前記第１の円環と第２の円環の吊下げ高さを変えて、前記農作物保護具を高所に傾けて吊るせるようにしたことを特徴とする請求項２に記載の農作物保護具。
【請求項６】
前記枠は、円形に湾曲したワイヤからなり、前記凹部は前記ワイヤの一部を湾曲させて形成したことを特徴とする請求項１から５のいずれかに記載の農作物保護具。
【請求項７】
前記円環は、前記ワイヤの一部を捩じって形成したことを特徴とする請求項６に記載の農作物保護具。
【請求項８】
前記枠は、円形に湾曲した帯板からなり、前記凹部は前記帯板の一部を切り欠いて形成したことを特徴とする請求項１から５のいずれかに記載の農作物保護具。
【請求項９】
前記円環は、前記帯板の一部を切り起こして形成した突片に孔をあけて形成したことを特徴とする請求項８に記載の農作物保護具。
【請求項１０】
前記凹部は、前記第１のかごの枠と、前記第２のかごの枠の両方に形成し、前記第１のかごと前記第２のかごを向い合せて取り付けたときに、前記第１のかごの枠に形成した凹部と前記第２のかごの枠に形成した凹部とが向かい合って穴を形成することを特徴とする請求項１から９のいずれかに記載の農作物保護具。
【考案の詳細な説明】
【技術分野】
【０００１】
本考案は、耕作地においてスイカ、メロン等の農作物がハクビシンやタヌキ、猪、アライグマ等の小動物、カラス等の鳥類により食い荒らされるのを防止する農作物保護具に関する。
【背景技術】
【０００２】
スイカ、メロン等の農作物は、食べごろにまで成長すると、そのタイミングを狙ってハクビシンやタヌキ、猪、アライグマ等の小動物、カラス等の鳥類により穴をあけられて食べられる被害が発生する。
【０００３】
このように農作物が鳥獣により食い荒らされるのを防止するため、従来、耕作地の周囲に防護ネットを張り巡らしたり、電気柵を設けて小動物の進入を防止することが行われているが、人の出入りが不便であり、空からの鳥類の進入に対しては有効ではない。
【０００４】
また、騒音等による撃退装置を設置することが提案されているが、コストがかかるうえ、作動時には周囲の人に迷惑がかかる。
【０００５】
さらに、個々の農作物を個別に保護するために、農作物に被せて覆う枠（特許文献１）や、かごに棘を放射状に取り付けた防護かご（特許文献２）、農作物を収容する上下の籠からなる鳥獣害防止用籠（特許文献３）が提案されているが、成長状態や日当たりに応じて農作物の向きを変える際には、枠やかごを除去しなければならないという問題がある。
【先行技術文献】
【特許文献】
【０００６】
【特許文献１】実開昭５０−１４４３号公報
【特許文献２】実開平６−２６４４６号公報
【特許文献３】実用新案登録第３１５５５５４号
【考案の概要】
【考案が解決しようとする課題】
【０００７】
本考案は、このような従来の問題に鑑みてなされたもので、安価に製造でき、設置が容易で、小動物や鳥類から農作物を有効に保護することができるとともに、成長状態や日当たりなどに応じて農作物の向きを変えることができる農作物保護具を提供することを課題とする。
【課題を解決するための手段】
【０００８】
本考案に係る農作物保護具は、前記課題を解決するため、半球状の網の開口縁に円形の枠を設けた第１かごと、前記第１かごの網の開口縁に対向する半球状の網の開口縁に円形の枠を設けた第２かごと、前記第１かごと前記第２かごを向い合せで開閉可能に連結して内部に農作物を収容する空間を形成する連結手段とを備え、前記第１のかごの枠と前記第２のかごの枠の少なくともいずれか一方に農作物の蔓が通る少なくとも１つの凹部を形成し、前記第１のかごの枠と前記第２のかごの枠に少なくとも１つの円環を設けたものである。
【０００９】
本考案の農作物保護具を使用するには、耕作地で成長するスイカなどの農作物を開いた状態の第１かご又は第２かごのいずれかのかごに収容し、蔓を凹部に導いてから他方のかごを閉じる。適当な杭を円環に通して耕作地に突き刺すことで、第１のかごと第２のかごが鳥獣による開かれるのを防止できる。また、円環にフックを掛けたり紐を通して、耕作地に適宜設けた竿に吊るすことにより、地上からの獣の接近を防止できる。網からなる第１のかごと第２のかご収容された農作物は、日光の入射を受けるので成長が妨げられることはないし、小動物や鳥類に食われるのを有効に保護することができる。また、第１のかごと第２のかごを閉じた状態では球形になるので、また農作物を吊るした状態でも回転させたり傾けることができるので、成長状態や日当たりなどに応じて農作物の向きを容易に変えることができる。
【００１０】
前記連結手段は、前記第１のかごの枠の一部と前記第２のかごの枠の一部を連結する連結リングであることが好ましい。
【００１１】
前記円環は、前記連結リングと１８０度離れた位置で前記第１のかごの枠と前記第２のかごの枠の両方に取り付け、前記第１のかごと前記第２のかごが開かないように、前記第１のかごの円環と前記第２のかごの円環に杭を通して耕作地に突き刺せるようにすることが好ましい。
【００１２】
前記円環は、前記連結リングと１８０度離れた位置で前記第１のかごの枠と前記第２のかごの枠の両方に設け、当該円環に吊下手段を取り付けて前記農作物保護具を高所に吊るせるようにすることが好ましい。
【００１３】
前記円環は、前記連結リングと１８０度離れた位置で前記第１のかごの枠と前記第２のかごの枠の両方に設けた第１の円環と、前記連結リングに取り付けた第２の円環とからなり、当該第１の円環と第２の円環に吊下げ手段を取り付け、前記第１の円環と第２の円環の吊下げ高さを変えて、前記農作物保護具を高所に傾けて吊るせるようにすることが好ましい。
【００１４】
前記枠は、円形に湾曲したワイヤからなり、前記凹部は前記ワイヤの一部を湾曲させて形成することが好ましい。この場合、前記円環は、前記ワイヤの一部を捩じって形成することが好ましい。
【００１５】
前記枠は、円形に湾曲した帯板からなり、前記凹部は前記帯板の一部を切り欠いて形成することが好ましい。この場合、前記円環は、前記帯板の一部を切り起こして形成した突片に孔をあけて形成することが好ましい。
【００１６】
前記凹部は、前記第１のかごの枠と、前記第２のかごの枠の両方に形成し、前記第１のかごと前記第２のかごを向い合せて取り付けたときに、前記第１のかごの枠に形成した凹部と前記第２のかごの枠に形成した凹部とが向かい合って穴を形成することが好ましい。
【考案の効果】
【００１７】
本考案によれば、円形の網と枠で容易にかつ安価に製造することができるうえ、設置が簡単であり、農作物の成長を妨げることなく、小動物や鳥類から農作物を有効に保護することができる。また、半球状の第１のかごと第２のかごを連結した状態では球となるので、成長状態や日当たりなどに応じて農作物の向きを容易に変えることができる。
【図面の簡単な説明】
【００１８】
【図１】本考案に係る農作物保護具を開いた状態を示す斜視図。
【図２】図１の農作物保護具の枠と網の取付け状態を示し、（Ａ）はワイヤからなる枠と網の取付け状態、（Ｂ）は帯板からなる枠と網の取付け状態を示す断面図。
【図３】図１の農作物保護具の枠の凹部を示し、（Ａ）はワイヤからなる枠の凹部、（Ｂ）は帯板からなる枠の凹部を示す拡大図。
【図４】図１の農作物保護具の円環を示し、（Ａ）はワイヤからなる枠の円環、（Ｂ）は帯板からなる枠の円環を示す拡大図。
【図５】図１の農作物保護具に農作物を収納する状態を示す斜視図。
【図６】図１の農作物保護を耕作地に設置した状態を示す斜視図。
【図７】図１の農作物保護を耕作地の地上に吊るした状態を示す斜視図。
【考案を実施するための形態】
【００１９】
以下、本考案の実施の形態を添付図面に従って説明する。図１は本考案に係る農作部保護具１を示す。農作物保護具１は、第１のかご２と第２のかご３を連結リング４で連結して構成されている。
【００２０】
第１のかご２は、半球状の網５の開口縁に円形の枠６を設けたものである。網５はステンレス鋼などの金属製が好ましいが、鳥獣に破られない程度の強度があればプラスチック、竹なども使用可能である。網５の形状は完全な半球に限らず、お椀形や半割卵形でもよい。網５は、平織で、２〜５メッシュ、開き目は鳥獣の嘴や歯が進入しない程度で、３〜５ｍｍが好ましい。網５の線径は、０．５〜１．５ｍｍ、空間率は、５０％以上が好ましい。
【００２１】
枠６は、金属製のワイヤを円形の曲げたものを図２（Ａ）に示すように網５に溶接で固定してもよいし、帯板を円形に加工したものを使用し、図２（ｂ）に示すように網５の開口縁にカシメて固定するものでもよい。また、網５を補強するために、図１に示すように、ワイヤからなる補強材７を網の表面に沿って放射状に配設し、補強材７の両端を枠６に固定してもよい。枠６には、網５に向かって切り欠くように形成した凹部８が設けられている。凹部８は、図３（Ａ）に示すように枠６がワイヤの場合には、ワイヤの一部を湾曲させ、図３（Ｂ）に示すように枠８が帯板の場合は帯板の一部を切り欠くことにより形成することができる。凹部８の大きさは、農作物の蔓が通るように、１５〜２５ｍｍが好ましい。
【００２２】
第２のかご３は、第１かご２と対向する形状であり、第１のかご２と同様の構造であるので、その構造の詳細については、対応する部分に同一符号を附して説明を省略する。なお、第２のかご３の凹部８は、第２のかご２の凹部８と対向する位置に形成し、図３（Ａ）に示すように、第１のかご２と第２のかご３を向い合せて取り付けたときに、第１のかご２の凹部８と第２のかご３の凹部８とが向かい合って蔓が貫通する穴９を形成するようにする。
【００２３】
連結リング４は、第１のかご２の枠６の一部と第２のかご３の枠６の一部を連結し、第１のかご２の枠６と第２のかご３の枠６を向い合せで開閉可能にして、内部に農作物を収容する空間を形成するように構成されている。
【００２４】
第１のかご２の枠６と第２のかご３の枠６には、連結リング４と反対側、すなわち、連結リング４から１８０度離れた位置に、円環１０が設けられている。円環１０は、連結リング４にも取り付けられている。円環１０の大きさは、杭やフック、紐を通すことができるように、１５〜２０ｍｍが好ましい。円環１０は、図１に示すようにワイヤを曲げて枠６に取り付け可能な引掛け部を有するリング形状が好ましいが、図４（Ａ）に示すように、枠６がワイヤの場合、ワイヤの一部を捩じって形成することができ、また、図４（Ｂ）に示すように、枠６が帯板の場合には、帯板の一部を切り起こして形成した突片１１に孔１２をあけて形成することもできる。
【００２５】
本考案の農作物保護具１は、スイカ、メロンなどの農作物の耕作地において使用する。農作物は食べ頃や収穫時期になると鳥獣に食い荒らされるため、成長具合を見て本考案の農作物保護具１で保護する。
【００２６】
まず、図５に示すように、農作物保護具１を開いて、第１かご２又は第２かご３のいずれかのかごに農作物を収容し、蔓を凹部８に導いてから他方のかごを閉じる。凹部８が複数ある場合は、蔓を通し易い位置にある凹部８を使用すればよい。続いて、図６に示すように、適当な杭１３を第１のかご２の円環１０と第２のかご３の円環１０に通して耕作地に突き刺しておく。これにより、第１のかご２と第２のかご３が鳥獣により開かれるのを防止できる。
【００２７】
本考案の農作物保護具１は、第１のかご２と第２のかご３が網５からなり、内部に日光が入射するので、第１のかご２と第２のかご３に収容された農作物は成長が妨げられることはない。農作物は食い破られない程度の強度の網５で覆われているので、小動物や鳥類に食われるのを有効に保護することができる。また、農作物保護具１は、第１のかご２と第２のかご３を閉じた状態では球形になるので、転がしたり置き換えることで、成長状態や日当たりなどに応じて農作物の向きを容易に変えることができる。
【００２８】
農作物を吊るして栽培する場合でも、図７に示すように、本考案の農作物保護具１を利用することができる。耕作地には、脚１４に竿１５を架け渡して適宜柱１６を立てておく。蔓が柱１６に絡んで成長し、実が適当な大きさになると、図５と同様に、農作物保護具１を開いて、第１かご２又は第２かご３のいずれかのかごに農作物を収容し、蔓を凹部８に導いてから他方のかごを閉じ、円環１０にフック１７や紐１８などの吊下げ手段を取り付けて高所の竿１５に吊るす。この状態では、地上から獣が農作物に接近するのを防止できるし、農作物が網５で覆われているので、空からの鳥類の攻撃に対しても保護することができる。また、農作物を吊った状態で円環１０の周りに回転させることで、成長状態や日当たりなどに応じて向きを変えることができる。
【００２９】
さらに、複数の円環１０を利用して農作物を複数個所で吊った状態で傾けることもできる。すなわち、連結リング４と１８０度離れた位置で第１のかご２の枠６と第２のかご３の枠６の両方に円環１０（第１の円環）を設けるとともに、連結リング４にも円環１０（第２の円環）を取り付ける。この第１と第２の円環１０にフック１７や紐１８などの吊下げ手段を取り付け、農作物保護具１を高所の竿１５に吊るすことで、成長状態や日当たりなどに応じて回転させたり、第１と第２の円環１０の吊下げ高さを調整して傾きを変えることで、農作物の向きを容易に変えることができる。
【００３０】
本考案は、以上の実施例に限られるものではなく、適宜変更可能である。例えば、凹部８には蔓が外れないように図３（Ｂ）に２点鎖線で示すような返り１９を設けることができる。また、第１のかご２と第２のかご３を連結する連結手段としては、連結リング４に限らず、第１のかご２の枠６と第２のかご３の枠６に嵌め込み構造やねじ構造を設けて、第１のかご２と第２のかご３を嵌合させたり、捩じって係合することにより連結することができる。
【産業上の利用可能性】
【００３１】
本考案の農作物保護具１は、耕作地でスイカやメロンを鳥獣に食い荒らされるのを保護するだけでなく、収穫したたまねぎや、じゃがいもなどの農作物を収容して倉庫に保管したり、軒下に吊り下げて保存するのにも利用することができる。
【符号の説明】
【００３２】
１  農作物保護具
２  第１のかご
３  第２のかご
４  連結リング
５  網
６  枠
８  凹部
９  穴
１０  円環
１７  フック（吊下げ手段）
１８  紐（吊下げ手段）
【図１】
0003197462.tif 000003
【図２】
0003197462.tif 000004
【図３】
0003197462.tif 000005
【図４】
0003197462.tif 000006
【図５】
0003197462.tif 000007
【図６】
0003197462.tif 000008
【図７】
0003197462.tif 000009